(57)【要約】      （修正有）【課題】時差発土リレー可能な反転筒と、力合成による鋤構造及び鋤角適時可変とにより反転能力を向上させ、また後方放擲可能な反転作業機を提供する。【解決手段】溝切対円盤と反転筒装置と鋤角可変装置とを組み合わせた反転作業システムでは、浅層土鋤１３と深層土鋤１５による時差発土リレー及び、柄漕アーム２５と支点軸２７と船底アーム３３による力合成とで反転能力を上げられ、螺旋反転筒による後方放擲が可能である。このために、浅層土に密生する悪性虫菌や疲労集積した偏屈地を反転することで、作土の還元化が計られ、農家の安定生産に寄与する。【選択図】図２
2006149404.tif 000002
【特許請求の範囲】
【請求項１】
溝切対円盤と、反転筒装置と、鋤角可変装置とからなる反転作業機。
【請求項２】
反転筒装置が、単鋤反転筒である請求項１に記載の反転作業機。
【請求項３】
請求項１又は請求項２に記載の反転作業機を単独又は、複数組み合わせてなる反転作業機。
【発明の詳細な説明】
【技術分野】
【０００１】
本発明は反転作業に関わる。より詳しくは、溝切対円盤手段と、反転筒手段と、鋤角可変装置手段とからなる反転作業システムに関する。
【背景技術】
【０００２】
特許公開平０７−９５８０１号に、ボトムプラウ、特許公開平０８−１８２４０１号に、リバーシブルプラウ作業機、特許公開２００１−１１２３０３号に、耕耘作業機、特許公開２００１−２３８５０１号に、プラウ式耕耘装置、特許公開２００１−３１５４０１号に、れき土破砕装置付きプラウ作業機、特許公開２００２−３６９６０２号に、複合耕耘作業機、特許公開２００３−９６０６号に、農作業機、特許公開２００５−６５５３８号に、サブソイラ、特許公開２００５−２１０９０７号に、心土層掘削作業機、特許公開２００５−２８７４３９の記載がある。
【０００３】
【特許文献１】特開平０７−９５８０１号広報
【特許文献２】特開平０８−１８２４０１号広報
【特許文献３】特開２００１−１１２３０３号広報
【特許文献４】特開２００１−２３８５０１号広報
【特許文献５】特開２００１−３１５４０１号広報
【特許文献６】特開２００２−３６９６０２号広報
【特許文献７】特開２００３−９６０６号広報
【特許文献８】特開２００５−６５５３８号広報
【特許文献９】特開２００５−２１０９０７号広報
【特許文献１０】特開２００５−２８７４３９広報
【発明の開示】
【発明が解決しようとする課題】
【０００４】
発土、放擲を横方向から後方向へ変えることで、鋤残溝をなくし、施設ハウスの基礎を抉ることなく反転作業ができるようにする。浅層土と深層土を時差発土リレーすることで、深層土の土圧抵抗が減り、反転作業能力が上がるようにする。浅層土と深層土を区分して反転させることで、反転作業をより向上させようとする。力の合成を取り入れた鋤構造にして、作業能力を上げるようにする。鋤入射角を可変することで適時に土地コンディションに対応して、特に硬盤での浮鋤による耕起斑を解消するようにする。更に水捌の悪い地において、礫土やボラ材を敷き、反転、暗渠排水ができるようにする。
【課題を解決するための手段】
【０００５】
本発明者は、鋭意研究の結果、溝切対円盤と、反転筒装置と、鋤角可変装置とを組み合わせることにより発明を完成し、上記課題を解決した。
【０００６】
本発明は、溝切対円盤と、反転筒装置と鋤角可変装置とを構成とし、前記部材装置の作用機構による、反転作業において新規な反転作業機を実現したものである。
【０００７】
本発明でいう溝切対円盤とは、本機作用体の通路壁を拵えるものであり、左右一対の円盤状の歯物をいう。又、本発明にいう反転筒装置とは、ガイド板と、浅層土鋤と、深層土鋤と、反転筒と、螺旋板とからなるものであり、集草土、浅層土及び深層土の発土、反転、放擲をするものをいう。更に、本発明でいう鋤角可変装置とは、鋤角可変部と、制振器と、柄漕アームと、支点軸と、接手と、バンドと、船底アームとからなるものであり、これらは鋤入射角の指示と、本体衝撃吸収と、作業能力向上と支点軸の補強と、反転筒支持とをするものをいう。即ち、溝切対円盤と、反転筒装置と、鋤角可変装置とを用いた手段で、前記説明の作業をして、目的を達成するものである。
【０００８】
本発明の反転作業機は、これまでの反転作業を一新し、後方放擲と、浅層土及び深層土の時差発土リレーと、力合成による鋤構造と、鋤角適時可変とを実現する方法である。本発明の溝切対円盤手段は、作用体が土壁の抵抗を受けず作用でき、又、反転筒装置は、進行方向後方に放擲ができ、鋤角可変装置は、自由な鋤角度を自由且つ適時におこなえることを特徴とする。本発明は溝切対円盤とガイド板と、浅層土鋤と、深層土鋤と、反転筒と、螺旋板とからなり、鋤角可変装置は、鋤角可変部と制振器と、柄漕アームと、支点軸と接手とバンドと船底アームとからなる。又は、溝切対円盤とガイド板と、深層土鋤と反転筒と螺旋板とからなり、鋤角可変装置は、鋤角可変部と制振器と柄漕アームと、支点軸と接手とバンドと船底アームとからなる。更に、前記記載の二つの手段のいずれかの反転作業機を単独又は、複数組み合わせてなる反転作業機とからなる。
【発明の効果】
【０００９】
以上説明したように、本発明による反転筒装置では、鋤残溝を無溝にして施設ハウスでの反転作業を容易にし、時差発土リレーにより、深層土反転能力の向上をさせ、浅層土と深層土の区分発土による反転作業性の向上等がある。鋤角可変装置では、力の合成鋤構造による作業能力の向上、適時な鋤角可変による浮鋤、耕起斑の解消、更には、滞水地の暗渠排水整備もできるなど広範囲な利便性がある。
このために深層土を膨軟化して、通気、排水性はもとより、浅層土に密生する悪性虫菌や、疲労集積した偏屈地なるものを反転することで、作土の還元化が計られ、農家の安定生産に寄与することを目的とする。
【発明を実施するための最良の形態】
【００１０】
本発明の実施形態を本発明装置に基づいて説明する。本発明の実施例の反転作業機斜視図１と側面図２に示す。
溝切対円盤９は、フレーム３５下部に付設するもので、残根、残幹、緑肥等の切断と作用体接地部の摩擦抵抗を軽減するための壁部となる。材料のフレームと支持棒は鉄パイプ、円盤は鋭利な円縁を備えるステンレス材、円盤径は、深層部届き地上部にやや出る程度とする。
【００１１】
図３、本発明による反転作業機の複鋤反転筒の斜視図である。反転筒装置は、船底アーム３３内に嵌め込み、ボルトで固定したものであり、反転作業作用部となる。ガイド板１１は、壁側の集土及び立木の集草をするものであり、筒口上縁にアーチ状に付設する。浅層土鋤１３は螺旋板入口水平に、鋤板を付設し、発土が深層部方向に向くようにする。鉄、硬質樹脂もしくはステンレス鋼材を付設する。深層土鋤１５は、船底アーム３３に、螺旋板入口から船底・筒側に鋤板を付設し、発土が浅層部方向に向くようにする。図２で鋤位置を見ると、二つの鋤の間には、縦方向に深度、横方向に発土タイミングのずれが生じる。即ち、浅層土と深層土において時差発土リレーが可能となり、深層土に加わる土圧抵抗を減らし、反転能力を上げることに結びつく。
【００１２】
反転筒は、浅層土と深層土を筒内で反転する筒容体である。筒容体は発土時の土の膨張を見込み、通常比１．３〜１．５倍増容体とすることで土の粒子間に遊び空隙を生み、反転時の粒子間摩擦を和らげる。筒形体、断面は、円または楕円、筒底は丸又は平面である。
図６は本発明による反転作業機の反転筒の土流を示す図である。螺旋板１９は二分された通路を１８０°捻り逆転通路となるものである。
螺旋形状では、波高と波長のサイズは１：１が反転土流を良好に保つ、又、螺旋板１９及び反転筒１７壁の材質は、土剥離、発水性、腐蝕等をクリアできる硬質樹脂、ステンレス、発水処理材等、摩擦抵抗の低い素材を選定する。更には、反転筒装置は、浅層土と深層土を反転する装置であって、ロータリ、スクリューロータリ、カタピラ等を組み入れて、送土反転することもできる。
【００１３】
図４は、本発明による反転作業機の鋤角可変装置の斜視図である。鋤角可変部２１は、柄漕アーム２５から支点軸２７、船底アーム３３へと鋤角度を指示するものであり、自動制御又は、手動操作を行える部である。鋤入射角を可変することで適時に土地コンディションに対応して、特に硬盤での浮鋤、耕起斑を解消するようにする。
【００１４】
制振器２３は、作用部の衝撃、振動を吸収したり、和らげたりするところである。柄漕アーム２５は、鋤角指示伝達部の他に力の合成のうでの部分をいい、鋤作用部の能率を上げるためのものである。支点軸２７は、フレーム３５の牽引力と鋤角可変部２１の力の合成力を支える支点軸２７である。
図５に示すように、接手２９は、柄漕アーム２５の作用枠と、支点軸２７の補強金具でもある。又、支点軸２７には、軸受けを設け、ベアリング、グリース等で軋みや摩擦熱を緩和する必要がある。
【００１５】
図４は、本発明による反転作業機の鋤角可変装置の斜視図である。船底アーム３３は、支点軸２７より下部のL字状のアームで、作用部反転筒１７を支持する部であり、鋤角可変部２１の伝達終結部である。以上説明した鋤角可変装置は、柄漕アーム２５と支点軸２７と船底アーム３３による力合成により反転作業の能力向上をするものである。アームL字板は、鉄の厚板の一本通し物とする。
【実施例１】
【００１６】
図１は、反転作業機に関わる実施例１の側面図である。溝切対円盤９と、ガイド板１１と浅層土鋤１３と深層土鋤１５と反転筒１７と螺旋板１９とを有する反転筒装置と、更に鋤角可変部２１と制振器２３と柄漕アーム２５と支点軸２７と接手２９とバンド３１と船底アーム３３とを有する鋤角可変装置とを組み合わせ、できた反転作業機で、新規な反転作業が可能となる。この例において、後方放擲による施設ハウス内の反転作業に効果的に活用できたり、浅層土と深層土を確実に反転ができるなど、土づくりに活用することができる。ここの筒を、浅層土と深層土における複鋤反転筒アをいう。
【実施例２】
【００１７】
図７は反転作業機に関わる実施例２を示した、単鋤反転筒の斜視図である。溝切対円盤９と、ガイド板１１と深層土鋤１５と反転筒１７と螺旋板１９とを有する反転筒装置と、更に鋤角可変部２１と制振器２３と柄漕アーム２５と支点軸２７と接手２９とバンド３１と船底アーム３３とを有する鋤角可変装置とを組み合わせ、できた反転作業機で、新規な反転作業が可能であり、この例においても後方放擲によりハウス内の反転作業に効果的に活用でき、土づくりに役立つ。ここの筒は、深層土における単鋤反転筒イという。
【実施例３】
【００１８】
図８は反転作業機に関わる実施例３を示した平面図である。溝切対円盤９と浅層土鋤１３と深層土鋤１５と反転筒１７と螺旋板１９とを有する反転装置と、更に、鋤角可変部２１と制振器２３と柄漕アーム２５と支点軸２７と接手２９とバンド３１と船底アーム３３とを有する鋤角可変装置とを組み合わせた反転作業機を、複数編成組み合わせてなる反転作業機を持ち、作業域を拡げ、効率的に作業を進めることのできるものも提供できる。
【図面の簡単な説明】
【００１９】
【図１】本発明による反転作業機の斜視図である。
【図２】本発明による反転作業機の側面図である。
【図３】本発明による反転作業機の複鋤反転筒の斜視図である。
【図４】本発明による反転作業機の鋤角可変装置の斜視図である。
【図５】本発明による反転作業機の接手の分解図である。
【図６】本発明による反転作業機の反転筒の土流を示した説明図である。
【図７】本発明による反転作業機の実施例２を示した単鋤反転筒の斜視図である。
【図８】本発明による反転作業機の実施例３を示した反転作業機の平面図である。
【符号の説明】
【００２０】
１  トラクタ
３  リフトアーム
５  リフトロッド
７  ロアリンク
９  溝切対円盤
１１  ガイド板
１３  浅層土鋤
１５  深層土鋤
１７  反転筒
１９  螺旋板
２１  鋤角可変部
２３  制振器
２５  柄漕アーム
２７  支点軸
２９  接手
３１  バンド
３３  船底アーム
３５  フレーム
３７  船底
３９  ベアリング
A  浅層土
B  深層土
ア  複鋤反転筒
イ  単鋤反転筒
【図１】
2006149404.tif 000003
【図２】
2006149404.tif 000004
【図３】
2006149404.tif 000005
【図４】
2006149404.tif 000006
【図５】
2006149404.tif 000007
【図６】
2006149404.tif 000008
【図７】
2006149404.tif 000009
【図８】
2006149404.tif 000010